(57)【特許請求の範囲】
【請求項１】
被検眼へ光ビームを照射する照射光学系と、前記光ビームの照射時間を計時するタイマと、被検眼の複数のポジションごとに前記タイマの計時に基づいて積算の照射エネルギを求めて管理するコントローラとを有することを特徴とする眼科装置。
【請求項２】
前記照射光学系は被検眼の眼底に検査のための光ビームを照射し、前記コントローラは眼底の前記複数のポジションごとに管理を行う請求項１に記載の眼科装置。
【請求項３】
前記光ビームの出力をモニタするセンサを有し、前記コントローラは前記センサの出力と前記タイマの計時に基づいて前記照射エネルギを求める請求項１又は２に記載の眼科装置。
【請求項４】
検査する被検眼が左右眼の何れであるかを識別する手段を有し、前記コントローラは前記識別に応じて前記ポジションを管理する請求項１〜３の何れか１つの請求項に記載の眼科装置。
【請求項５】
前記識別する手段は照射する被検眼が左右眼の何れであるかを入力する入力デバイスを有する請求項４に記載の眼科装置。
【請求項６】
前記識別する手段は照射する被検眼の左右眼の何れであるかを検出する検出手段を有する請求項４に記載の眼科装置。
【請求項７】
眼底への光ビームの照射位置を入力する手段を有し、前記コントローラは左右眼の識別及び前記入力した照射位置に基づいて前記ポジションを特定する請求項４に記載の眼科装置。
【請求項８】
眼底への光ビームの照射位置を検出する手段を有し、前記コントローラは左右眼の識別及び前記入力した照射位置に基づいて前記ポジションを特定する請求項４に記載の眼科装置。
【請求項９】
前記コントローラは所定の領域を前記ポジションとして設定し、前記領域内に存在する測定位置に対応した照射エネルギの総和を前記ポジションに対応させて管理する請求項１〜８の何れか１つの請求項に記載の眼科装置。
【請求項１０】
前記照射光学系はレーザー光を発生するレーザー光源を有する請求項１〜９の何れか１つの請求項に記載の眼科装置。
【請求項１１】
前記光ビームの眼底での反射光を受光する受光器と、該受光器の出力から眼底の血流状態を計測する演算器を有する請求項１〜１０の何れか１つの請求項に記載の眼科装置。
【請求項１２】
前記ポジションごとの照射エネルギを表示する表示器を有する請求項１〜２の何れか１つの請求項に記載の眼科装置。
【請求項１３】
前記表示器は前記照射の値と所定値との比を表示する請求項１２に記載の眼科装置。
【請求項１４】
前記積算した照射エネルギの値が所定値を超えたら警告を発する又は前記光ビームの照射を制限する手段を有する請求項１〜１３の何れか１つの請求項に記載の眼科装置。
【発明の詳細な説明】
【０００１】
【発明の属する技術分野】
本発明は、眼科医院等において眼底を検査する眼科装置に関するものである。
【０００２】
【従来の技術】
レーザー光を眼内に照射して、被検眼の特性を計測する眼科診断装置としては、眼底血流計やレーザーフレアセルメータ等が知られている。眼底血流計は無侵襲に直接観察できる眼底血管の血流を測定するものであり、レーザー光を照射してドップラ測定原理、或いはスペックル現象を利用した眼底血流計が種々考案されており、今後の幅広い応用が期待されている。
【０００３】
上述のような眼科診断装置では、被検者の眼に対する安全上、ＡＮＳＩ(AMERICAN NATIONAL STANDARDS INSTITUTE)により、照射できる最大許容レーザーエネルギであるＭＰＥ(Maximum Permissible Exposure)が定められている。
【０００４】
上述の従来の眼科診断装置では、オペレータ自身が眼底への測定用レーザー光の照射時間を測定し、ＭＰＥを越えないように照射をしているために煩わしさがある。
【０００５】
この問題を解決するため、被検者毎に測定用レーザー光の出力の時間積算を行い、照射エネルギを算出して表示、警告、レーザー光の照射停止などを行い、測定用レーザー光の照射エネルギがＭＰＥを超えないようにする装置が、特開平９−１３１３２０号公報に提案されている。
【０００６】
また、人眼に対する照明光量を検出、積算し、人眼照明安全許容蓄積光量と比較し、この量を越えた場合には人眼の保護を図るように、照明光量を制御する装置が特許第２６８５２３９号公報で提案されている。この発明では、人眼の照明安全許容蓄積光量が左右眼毎に管理されている。
【０００７】
【発明が解決しようとする課題】
しかしながら、眼底血流計のように被検眼にレーザー光を照射する装置においては、照射光は眼底全体に照射されるわけではなく、一定の面積毎に照射される。これを考慮すると、レーザー照射エネルギは被検眼の左右毎でかつ測定位置毎に管理することが望ましい。
【０００８】
上記の従来例のように、被検者毎、左右眼毎にレーザー照射エネルギを算出してＭＰＥを越えないようにすると、例えば眼底血流計のように被検眼の血管という局所的な部分にレーザー照明光を照射し、測定を行うような装置では、被検者の安全を考慮した場合に、実際に測定可能な回数が制限されてしまう場合がある。
【０００９】
本発明の目的は上述の従来例の更なる改良であり、具体的な目的の１つは、安全性を確保しながら、ＭＰＥを越えない測定用の照射を行うことができる眼科装置を提供することにある。
【００１０】
【課題を解決するための手段】
上記目的を達成するための請求項１に係る本発明は、被検眼へ光ビームを照射する照射光学系と、前記光ビームの照射時間を計時するタイマと、被検眼の複数のポジションごとに前記タイマの計時に基づいて積算の照射エネルギを求めて管理するコントローラとを有することを特徴とする眼科装置である。
【００１１】
請求項２に係る本発明は、前記照射光学系は被検眼の眼底に検査のための光ビームを照射し、前記コントローラは眼底の前記複数のポジションごとに管理を行う請求項１に記載の眼科装置である。
【００１２】
請求項３に係る本発明は、前記光ビームの出力をモニタするセンサを有し、前記コントローラは前記センサの出力と前記タイマの計時に基づいて前記照射エネルギを求める請求項１又は２に記載の眼科装置である。
【００１３】
請求項４に係る本発明は、検査する被検眼が左右眼の何れであるかを識別する手段を有し、前記コントローラは前記識別に応じて前記ポジションを管理する請求項１〜３の何れか１つの請求項に記載の眼科装置である。
【００１４】
請求項５に係る本発明は、前記識別する手段は照射する被検眼が左右眼の何れであるかを入力する入力デバイスを有する請求項４に記載の眼科装置である。
【００１５】
請求項６に係る本発明は、前記識別する手段は照射する被検眼の左右眼の何れであるかを検出する検出手段を有する請求項４に記載の眼科装置である。
【００１６】
請求項７に係る本発明は、眼底への光ビームの照射位置を入力する手段を有し、前記コントローラは左右眼の識別及び前記入力した照射位置に基づいて前記ポジションを特定する請求項４に記載の眼科装置である。
【００１７】
請求項８に係る本発明は、眼底への光ビームの照射位置を検出する手段を有し、前記コントローラは左右眼の識別及び前記入力した照射位置に基づいて前記ポジションを特定する請求項４に記載の眼科装置である。
【００１８】
請求項９に係る本発明は、前記コントローラは所定の領域を前記ポジションとして設定し、前記領域内に存在する測定位置に対応した照射エネルギの総和を前記ポジションに対応させて管理する請求項１〜８の何れか１つの請求項に記載の眼科装置である。
【００１９】
請求項１０に係る本発明は、前記照射光学系はレーザー光を発生するレーザー光源を有する請求項１〜１１の何れか１つの請求項に記載の眼科装置である。
【００２０】
請求項１１に係る本発明は、前記光ビームの眼底での反射光を受光する受光器と、該受光器の出力から眼底の血流状態を計測する演算器を有する請求項１〜１０の何れか１つの請求項に記載の眼科装置である。
【００２１】
請求項１２に係る本発明は、前記ポジションごとの照射エネルギを表示する表示器を有する請求項１〜２の何れか１つの請求項に記載の眼科装置である。
【００２２】
請求項１３に係る本発明は、前記表示器は前記照射の値と所定値との比を表示する請求項１２に記載の眼科装置である。
【００２３】
請求項１４に係る本発明は、前記積算した照射エネルギがの値を所定値を超えたら警告を発する又は前記光ビームの照射を制限する手段を有する請求項１〜１３の何れか１つの請求項に記載の眼科装置である。
【００２４】
【発明の実施の形態】
本発明を図示の実施の形態に基づいて詳細に説明する。
図１は本発明を眼底血流計へ応用した実施の形態の構成図であり、白色光を発するタングステンランプ等から成る観察用光源１から被検眼Ｅと対向する対物レンズ２に至る照明光路上には、ほぼ被検眼Ｅの眼底Ｅａと光学的に共役な位置に配し光路に沿って移動自在な固視標表示用素子である透過型液晶板３、リレーレンズ４、孔あきミラー５、黄色域の波長光を透過し他の光束を殆ど反射するバンドパスミラー６を順次に配列し、照射光学系を構成する。孔あきミラー５の背後に眼底観察光学系を構成し、光路に沿って移動自在な合焦レンズ７、結像レンズ８、二次元ＣＣＤカメラ９を順次に配列する。
【００２５】
バンドパスミラー６の反射方向の光路上に、イメージローテータ１０、紙面に垂直な回転軸を有し両面研磨されたガルバノメトリックミラー１１を配置し、ガルバノメトリックミラー１１の下側反射面１１ａの反射方向には光路に沿って移動自在なリレーレンズ１２を配置し、上側反射面１１ｂの反射方向にはレンズ１３、このレンズ１３の光路に沿って一体的に移動ができるフォーカスユニット１４を配置する。なお、ガルバノメトリックミラー１１は前述の回転軸の下方に切欠部を有しており、またレンズ１３の前側焦点面は被検眼Ｅの瞳孔と共役関係にあり、この焦点面にガルバノメトリックミラー１１を配置する。また、ガルバノメトリックミラー１１の後方にレンズ１５及び凹面鏡１６を配し、ガルバノメトリックミラー１１の下側反射面１１ａで反射されず切欠部を通過する光束を、ガルバノメトリックミラー１１の上側反射面１１ｂに導くリレー光学系を構成する。
【００２６】
フォーカスユニット１４においては、レンズ１３と同一光路上に、ダイクロイックミラー１７、レンズ１８を配列し、ダイクロイックミラー１７の反射方向の光路上には矩形の絞りを有するマスク板１９、ミラー２０を配置する。
【００２７】
また、レンズ１８の入射方向の光路上に、ハーフミラー２１、コリメートされたコヒーレントな例えば赤色光を発するレーザーダイオードなどの測定用光源２２を配列する。更に、ミラー２０の入射方向の光路上に、ハーフミラー２３、高輝度で他の光源と異なる例えば緑色光を発するヘリウムネオンレーザーなどのトラッキング用光源２４を配列する。そして、ハーフミラー２１、２３の反射方向には、フォトセンサ２５、２６をそれぞれ配置する。
【００２８】
ガルバノメトリックミラー１１における下側反射面１１ａの反射方向の光路上には、光路に沿って移動自在なリレーレンズ１２、ダイクロイックミラー２７、拡大レンズ２８、イメージインテンシファイア２９、一次元ＣＣＤ３０を順次に配列し、血管検出系を構成する。また、ダイクロイックミラー２７の反射方向には、フォトマルチプライヤ３１、３２を配置し、測定用受光光学系を構成する。なお、図示の都合上、全ての光路を同一平面上に示したが、ダイクロイックミラー２７の反射方向などは、紙面に直交している。
【００２９】
また、前述の透過型液晶板３、合焦レンズ７、フォーカスユニット１４及びリレーレンズ１２は、図示しないフォーカシングノブを操作することにより連動して光軸方向に移動し、眼底Ｅａ、透過型液晶板３、オペレータ眼ｅの眼底、マスク板１９及びイメージインテンシファイア２９の受光面とが常に光学的に共役になる。
【００３０】
二次元ＣＣＤカメラ９、フォトセンサ２５、２６、イメージインテンシファイア２９、一次元ＣＣＤ３０、フォトマルチプライヤ３１、３２の出力はシステムコントローラ４１に接続し、更に二次元ＣＣＤカメラ９の出力はテレビモニタ等の第１の表示器４２に接続する。システムコントローラ４１の出力は、透過型液晶板３、ガルバノメトリックミラー１１を駆動するガルバノメトリックミラー制御回路４３に接続する。更に、システムコントローラ４１は入力デバイス４４、テレビモニタ等の第２の表示器４５、左右眼を検出する検知器４６に接続する。
【００３１】
ここで、各光源から発せられた光が被検眼Ｅに導かれ、その反射散乱光がオペレータ眼ｅ又はフォトマルチプライヤ３１、３２、イメージインテンシファイア２９の受光面に導かれる様子を説明する。観察用光源１から発した白色光は、透過型液晶板３を背後から照明し、リレーレンズ４を通って孔あきミラー５で反射され、黄色域の波長光のみがバンドパスミラー６を透過し、対物レンズ２を通り、被検眼Ｅの瞳孔Ｅｐ上で眼底照明光光束像Ｉとして一旦結像した後に、眼底Ｅａをほぼ一様に照明する。このとき、透過型液晶板３には図示しない固視標Ｆが表示されており、照明光により眼底Ｅａに投影され、視標像Ｆ’として被検眼Ｅに呈示される。
【００３２】
眼底Ｅａからの反射光は同じ光路を戻り、瞳孔上から眼底観察光束Ｏとして取り出され、孔あきミラー５の中心の開口部、合焦レンズ７を通り、結像レンズ８を介して二次元ＣＣＤカメラ９に入力され、第１の表示器４２に表示され、眼底像Ｅａ’がオペレータによって観察可能となる。この眼底像Ｅａ’を観察しながら装置のアライメントを行う。図２はオペレータが被検眼Ｅの眼底Ｅａを第１の表示器３５において観察した眼底像Ｅａ’を示している。
【００３３】
測定用光源２２を発したコリメートされた光ビームである測定光は、ハーフミラー２１、レンズ１８を通過し、ダイクロイックミラー１７を透過する。一方、トラッキング用光源２４から発した光ビームであるトラッキング光は、ハーフミラー２３を通過し、ミラー２０で反射された後に、矩形の絞りを有するマスク板１９で所望の形状に整形された後に、ダイクロイックミラー１７に反射されて、上述の測定光と重畳される。
【００３４】
このとき測定光はレンズ１８により、マスク板１９の開口部中心と共役な位置にスポット状に結像されている。更に、測定光とトラッキング照射光はレンズ１３を通り、ガルバノメトリックミラー１１の上側反射面１１ｂで反射され、レンズ１５を一度通った後に、凹面鏡１６で反射され再びレンズ１５を通りガルバノメトリックミラー１１の方に戻される。ここで、ガルバノメトリックミラー１１は被検眼瞳の共役な位置に配されており、そして凹面鏡１６とレンズ１５は光軸上に同心に配置されかつ共働して、ガルバノメトリックミラー１１を−１倍で結像するリレー系の機能が与えられている。
【００３５】
従って、ガルバノメトリックミラー１１の上側反射面１１ｂで反射された光束は、ガルバノメトリックミラー１１の切欠部に戻されることになり、ガルバノメトリックミラー１１で反射されることなくイメージローテータ１０に向かう。イメージローテータ１０を経て、バンドパスミラー６により対物レンズ２方向に偏向された両光束は、対物レンズ２を介して眼底Ｅａを照射する。
【００３６】
このように、測定光とトラッキング照射光はガルバノメトリックミラー１１の上側反射面１１ｂ内で反射されて、再び戻される対物レンズ２の光軸から偏心した状態でガルバノメトリックミラー１１に入射が行われ、図３に示すように、瞳孔Ｅｐ上でスポット像Ｐ２又はＰ２’として結像した後に、眼底Ｅａを点状に照射する。
【００３７】
眼底Ｅａからの測定光とトラッキング照射光の散乱反射光は、再び対物レンズ２で集光され、バンドパスミラー６で殆どの光束が反射されてイメージローテータ１０を通り、ガルバノメトリックミラー１１の下側反射面１１ａで反射され、リレーレンズ１２を通り、ダイクロイックミラー２７において測定光とトラッキング光とが分離される。
【００３８】
トラッキング光はダイクロイックミラー２７を透過し、拡大レンズ２８により眼底観察光学系による眼底像Ｅａ’よりも拡大された血管像Ｅｖ’としてイメージインテンシファイア２９の光電面に結像し、増幅された後に一次元ＣＣＤ３０上に撮像される。そして、一次元ＣＣＤ３０で撮像された血管像Ｅｖ’に基づいて、システムコントローラ４１において血管像Ｅｖ’の移動量を表すデータが作成され、ガルバノメトリックミラー制御回路４３に血管像Ｅｖ’と移動量が出力される。ガルバノメトリックミラー制御回路４３はこの移動量を補償するように、ガルバノメトリックミラー１１を駆動することにより、被測定部の血管のトラッキングを行う。
【００３９】
また、測定光はダイクロイックミラー２７により反射され、フォトマルチプライヤ３１、３２に受光される。フォトマルチプライヤ３１、３２の出力はそれぞれシステムコントローラ４１に出力され、この受光信号は従来例と同様に周波数解析されて眼底Ｅａの血流速度が求められる。
【００４０】
一方、眼底Ｅａからの測定光とトラッキング照射光の散乱反射光は、再び対物レンズ２で集光され、バンドパスミラー６を透過した一部の光束は観察用光源１から発した光束の被検眼Ｅの眼底Ｅａからの反射散乱光と同様の光路をたどり、一次元ＣＣＤ３０に達する。
【００４１】
一次元ＣＣＤ３０の出力信号は、システムコントローラ４１に入力されて、図示しないＡ／Ｄコンバータでディジタル信号に変換され、入力デバイス４４からの眼底画像保存要求の入力、又は測定毎に眼底画像が保存される。
【００４２】
更に、一次元ＣＣＤ３０の出力信号は第１の表示器４２に入力され、図２に示すように観察眼底像Ｅａ’と共にトラッキング指標像Ｔ、測定光Ｍがオペレータによって観察できるようになっている。
【００４３】
また、測定用光源２２を発したコリメートされた測定光の一部は、ハーフミラー２１で反射されフォトセンサ２５で受光される。フォトセンサ２５の出力はシステムコントローラ４１に入力され、測定用光源２２の出力が監視され、この出力は、測定用光源２２の照射エネルギを算出するために用いられる。同様に、トラッキング用光源２４から発したトラッキング光の一部は、ハーフミラー２３で反射されフォトセンサ２６で受光される。このフォトセンサ２６の出力はシステムコントローラ４１へ入力され、トラッキング用光源２４の出力が監視され、この出力はトラッキング用光源２４の照射エネルギの算出に用いられる。
【００４４】
次に、具体的な動作例について説明すると、先ずオペレータは測定すべき血管の測定ポジションを選択し、入力デバイス４４により入力する。図４は第２の表示器４５の表示内容を示し、Ａには患者名、患者ＩＤ、測定眼の情報を表示し、測定眼の情報は入力デバイス４４から入力された左右眼情報又は検知器４６で検出された左右眼情報を表示する。なお、患者名、患者ＩＤは入力デバイス４４から入力、選択が可能である。Ｂには測定ポジションを表示し、その隣にポジション毎のレーザー照射エネルギの積算値Ｅｘ、最大許容レーザーエネルギＭＰＥ、ＭＰＥに対する積算値Ｅｘの割合をそれぞれ表示する。
【００４５】
なお、測定ポジションは入力デバイス４４からの選択又は新規登録が可能になっている。Ｃには選択された測定ポジションにおけるＭＰＥに対するレーザー照射エネルギの積算値Ｅｘの割合が数値及びバーで表示される。Ｄには、Ａに表示された患者名、患者ＩＤ、測定眼の眼底像Ｅａ’が表示され、ＥはＢで選択されている測定ポジションの眼底Ｅａ上の位置を示す。
【００４６】
本実施の形態において、測定ポジションはＬ０２  Ａｒｔｅｒｙが選択され、この測定ポジションにおけるレーザー照射エネルギの積算値Ｅｘが３２．３８ｍＪ、ＭＰＥが７５．３ｍＪ、ＭＰＥに対するレーザー照射エネルギ積算値Ｅｘの割合が４３．０％であることを示している。
【００４７】
オペレータは図示しない操作桿を操作して、被検眼Ｅの光軸と対物レンズ２の光軸が一致するように位置合わせを行う。次に、眼底像Ｅａ’を第１の表示器３５上で観察しながら前述のフォーカスノブを操作して、被検眼Ｅの眼底Ｅａにフォーカスを合わせる。すると、前述したように透過型液晶板３の固視標Ｆと眼底Ｅａが光学的に共役になり被検眼Ｅに呈示される。そして、オペレータは被測定部位が観察視野の略中央付近にくるように、入力デバイス４４を操作して固視標Ｆを動かし被検眼Ｅを誘導する。
【００４８】
図５はシステムコントローラ４１の動作を示すフローチャート図である。入力デバイス４４を操作して、トラッキング光を眼底Ｅａに照射する要求を入力すると、システムコントローラ４１はステップＳ０で入力デバイス４４にトラッキング光照射の要求ありと判断し、ステップＳ１でトラッキング光を照射すると、トラッキング指標像Ｔが被検眼Ｅの眼底Ｅａに投影される。これに連動してステップＳ２ではシステムコントローラ４１が有するタイマによってトラッキング光の照射時間の計時を開始する。
【００４９】
更にステップＳ３では、選択された測定ポジションＥにおける今回測定のトラッキング用レーザー光の照射エネルギＥｘ’を計算する。このエネルギＥｘ’は次の式で算出される。
【００５０】
Ｅｘ’＝Ｐｔｒｋ＊Ｔｔｒｋ／１０００［ｍＪ］
ただし、Ｔｔｒｋはトラキング光の照射時間、Ｐｔｒｋはフォトセンサ２６から出力されるトラッキング用光源２４の出力を対物射出光量に変換した出力である。
【００５１】
更に、エネルギＥｘ’を前回測定までのレーザー照射エネルギの積算値Ｅｘに加算して、今回の測定を含めたレーザー光照射エネルギ積算値Ｅｘを算出する。ステップＳ４で選択された測定ポジションで、初めてレーザー光が照射されてから現在までの時間をパラメータとして、選択された測定ポジションに対するＭＰＥを計算する。なお、本実施の形態ではトラッキング用光源２４として波長５４３ｎｍ、出力４ｍＷのヘリウムネオンレーザーを用い、測定用光源２２として波長６７５ｎｍ、出力２００μＷの半導体レーザー光源を用いている。
【００５２】
ただし、現時刻が最後にレーザーを照射した時刻から２４時間以上経過している場合には、レーザー照射エネルギの積算値Ｅｘをリセットする。
【００５３】
ステップＳ５では、このＭＰＥに対する積算値Ｅｘの割合の百分率を計算して、第２の表示器４５のＣに表示される数値及びバー表示を更新する。ステップＳ６において、ＭＰＥに対する積算値Ｅｘの割合が１００％以上の場合には、ステップＳ１７でトラッキング光の照射を停止し、ステップＳ１８でトラッキング光の照射時間のタイマでの計時を停止し、一連の測定シーケンスを終了する。このとき、図４のＣに示すバー表示の１００％の部分が点滅してエラー表示を行い、更にブザーを鳴らして警告を行う。
【００５４】
ステップＳ６において、ＭＰＥに対するＥｘの割合が１００％に達していない場合にはステップＳ７に遷移し、入力デバイスからの測定開始の要求を待つ。ステップＳ７で入力デバイスへの測定開始要求が検出されない場合には、ステップＳ３へ戻り、ステップＳ３からステップＳ７の動作を繰り返す。
【００５５】
このとき、オペレータはトラッキング指標像Ｔが被測定血管Ｅｖと垂直になるように、イメージローテータ１０を駆動するように入力デバイス４４に入力する。更に、被測定血管Ｅｖ上に測定光Ｍが照射されるようにガルバノメトリックミラー１１の角度を制御する。
【００５６】
このようにして測定準備が整った時点で、入力デバイス４４にトラッキング開始を入力する。システムコントローラ４１は一次元ＣＣＤ３０で撮像された血管像から被測定血管Ｅｖとトラッキング中心位置の偏移量を算出して、これを補正するようにガルバノメトリックミラー制御回路４３を通じてガルバノメトリックミラー１１を制御し、被測定血管Ｅｖに対してのトラッキング動作が開始される。
【００５７】
トラッキング動作が安定したところで、入力デバイス４４に測定開始を入力すると、システムコントローラ４１はステップＳ７で入力デバイス４４に測定開始の要求ありと判断し、ステップＳ８で測定光を被測定血管へ照射し、これに連動して、ステップＳ９ではシステムコントローラ４１が有するタイマによって測定光照射時間の計時を開始する。
【００５８】
ステップＳ１０では、選択された測定ポジションにおける今回の測定のレーザー照射エネルギＥｘ’を計算する。このレーザー照射エネルギＥｘ’は以下の式で算出される。
【００５９】
Ｅｘ’＝（Ｐｔｒｋ＊Ｔｔｒｋ＋Ｐｍｅｓ＊Ｔｍｅｓ）／１０００［ｍＪ］
ただし、Ｔｔｒｋはトラキング光の照射時間、Ｔｍｅｓは測定光の照射時間、Ｐｔｒｋはフォトセンサ２６から出力されるトラッキング用光源２４の出力を対物射出光量に変換した出力、Ｐｍｅｓはフォトセンサ２５から出力される測定用光源２２の出力を対物射出光量に変換した出力である。
【００６０】
更に、レーザー照射エネルギＥｘ’を前回測定までのレーザー照射エネルギの積算値Ｅｘに加算して、今回の測定を含めた選択された測定ポジションのレーザー照射エネルギ積算値Ｅｘを算出する。
【００６１】
更に、ステップＳ１１で選択された測定ポジションに対するＭＰＥを計算し、ステップＳ１２で選択された測定ポジションにおけるＭＰＥに対するレーザー照射エネルギ積算値Ｅｘの割合の百分率を計算し、第２の表示器４５のＣに表示される数値及びバー表示を更新する。
【００６２】
ステップＳ１３において、ＭＰＥに対するレーザー照射エネルギ積算値Ｅｘの割合が１００％以上の場合には、ステップＳ１７でトラッキング光の照射を停止、ステップＳ１８でトラッキング光の照射時間のタイマでの計時を停止し、一連の測定シーケンスを終了する。このとき、図４のＣに示すバー表示の１００％の部分が点滅しエラー表示を行い、更にブザーを鳴らして警告を行う。次回には、この測定ポジションでの測定は、ＭＰＥがリセットされるまで行うことができない。
【００６３】
ステップＳ１３において、ＭＰＥに対するレーザー照射エネルギ積算値Ｅｘの割合が１００％に達していない場合にはステップＳ１４へ遷移し、測定データの取り込み終了を待つ。測定データの取り込みが終了しない場合には、ステップＳ１０へ戻り、ステップＳ１０からステップＳ１４の動作を繰り返す。
【００６４】
ステップＳ１４で測定データの取り込みの完了を検出すると、ステップＳ１５でトラッキング光、測定光の照射を停止し、ステップＳ１６でトラッキング光、測定光の照射時間の計時を停止し、ステップＳ０へ戻り同様な動作を繰り返す。このとき、最終的なＭＰＥに対するレーザー照射エネルギ積算値Ｅｘの割合がメモリに記憶され、次回の測定時に使用される。
【００６５】
また、システムコントローラ４１は透過型液晶板３の固視標Ｆの位置、ガルバノメトリックミラー１１の角度、イメージローテータ１０の角度を記憶する。これら記憶された値は、図４のＤに示す眼底画像上の測定ポジションの位置を示す位置Ｅに反映されると同時に、次回に同一測定ポジションを測定する際に、トラッキング光、測定光が同じ位置に照射されるように制御するために用いる。
【００６６】
なお、本実施の形態ではトラッキング用、測定用レーザー光の出力をそれぞれフォトセンサ２５、２６でモニタしているが、別の実施の形態として、トラッキング用、測定用レーザー光の出力変動が少ない場合には、出力を所定値として照射エネルギの算出に用いてもよい。
【００６７】
次に、他の具体例を説明すると、実際の測定では測定位置にトラッキング光、測定光を照射する場合に、被検眼が動いたり、始めに照射する位置が実際の測定位置とずれていたりすることがある。この場合に、実際にトラッキング光、測定光が照射される位置は、測定位置よりも広い範囲となる。
【００６８】
この具体例では、被検眼Ｅの眼底Ｅａ上に測定位置が多数存在し、実際にＭＰＥに対するレーザー照射エネルギの積算値Ｅｘの割合を計算する測定ポジションの近傍に、既に測定したことのある測定ポジションが存在する場合には、そのレーザー照射エネルギの値も積算するようにしている。
【００６９】
図６は眼底画像上に測定ポジションをプロットした図を示す。一連の測定動作でのシステムコントローラ４１の動作は、図５に示すフローチャートと同様であるが、ステップＳ３、Ｓ１０におけるトラッキング光、測定光のレーザー照射エネルギＥｘ’を計算し、同一測定眼・測定部位を領域Ｇ、領域Ｈ、…のように区分してレーザー照射エネルギに積算する方法において異なる。
【００７０】
本具体例では、システムコントローラ４１が測定ポジションＬ０５  ＶｅｉｎのＭＰＥに対するレーザー照射エネルギの割合（以下Ｅｘ／ＭＰＥ）を計算する場合を例にしている。図６で領域Ｇは測定ポジションＬ０５Ａ  Ｖｅｉｎを中心に約１．５・乳頭径の領域で、この領域を測定ポジションＬ０５Ａ  Ｖｅｉｎのレーザー照射エネルギを計算する領域に設定している。
【００７１】
ステップＳ３、Ｓ１０では、この領域Ｇ内に登録されている各測定部位のレーザー照射エネルギＥｘ’を計算し、これらの値を全てを加算する。領域Ｇにおけるレーザー照射エネルギＥｘ'(ｇ）は、次式で与えられ、図４のＢに示した値を用いると、次式となる。
【００７２】
0004666821.tif 000002
更に、ステップＳ４、Ｓ１１では、領域Ｇ内で最初にトラッキング用又は測定用レーザーが照射された時刻を基に領域ＧにおけるＭＰＥを算出して、ステップＳ５、Ｓ１２では、Ｅｘ・（ｇ）／ＭＰＥを算出する。Ｌ０５  ＶｅｉｎにおけるＭＰＥに対するレーザー照射エネルギの割合Ｅｘ'(ｇ）／ＭＰＥは、図４のＢに示した値を用いると次式で与えられる。
【００７３】
Ｅｘ'(ｇ）／ＭＰＥ＝３８．２／１７４．０＝２２．９５［％］
更に、ステップＳ５、Ｓ１２では、Ｅｘ'(ｇ）／ＭＰＥの値を測定ポジションＬ０５  ＶｅｉｎにおけるＭＰＥに対するレーザー照射エネルギの割合として、第２の表示器４５に表示する。
【００７４】
特に、レーザー光では安全性が重要であるため、本実施の形態ではレーザー光を用いた眼科装置を例に挙げているが、レーザー光ではなく一般のインコヒーレント光に対しても同様のことが実施可能である。また、実施の形態として特に効果を有する眼底血流計を説明しているが、本発明はこれに限定されるものではなく、レーザー光の照射によって眼治療を行う眼治療装置などにも適用可能である。
【００７５】
このように、実施の形態によれば次に列挙するような作用を有する。
【００７６】
（１）被検眼の左右毎で測定位置毎に測定光の出力の時間積算を行い、照射エネルギ、ＭＰＥを算出するようにしているため、被検者の安全性を確保しながら、実際に測定できる回数を減らすことなく、容易にかつ確実にＭＰＥを越えない測定用光の照射を行うことができる。
【００７７】
（２）被検眼の左右を入力する手段を有するので、被検眼の左右を確実に特定することができる。
【００７８】
（３）眼底への照射位置を入力する手段を有するので、被検眼への測定光照射位置を確実に特定することができる。
【００７９】
（４）被検眼の左右を検出する手段を有するので、オペレータが煩わしい操作を行わなくとも被検眼の左右を確実に特定することができる。
【００８０】
（５）眼底への照射位置を検出する手段を有するので、オペレータが煩わしい操作を行わなくても、被検眼への測定光照射位置を確実に特定することができる。
【００８１】
（６）眼底への測定光の照射位置をされた眼底の測定位置を中心として所定の範囲を設定し、この範囲内に存在する測定位置に対する照射エネルギを全て積算し、更にこの範囲におけるＭＰＥを算出することにより、被検眼が動いたり、位置合わせの時に測定位置の近傍に照射された測定光による照射エネルギを加味することができ、より厳密に被検者の安全性を確保することができる。
【００８２】
（７）測定光の出力を測定する出力測定手段を設けることにより、出力を変えた場合やレーザー出力が変動した場合でも、正確に照射エネルギの算出ができる。
【００８３】
（８）照射エネルギを表示する表示器を有することにより、オペレータが照射エネルギを容易に知ることができ、被検者の安全性確保の助けとなる。
【００８４】
（９）表示器は照射の値と所定値との比を表示することにより、より容易に照射エネルギを把握することができる。
【００８５】
（１０）照射エネルギが所定値を越えると表示、警告を行うので、オペレータが気付かずにＭＰＥを越えて測定用光を照射することを防ぐことができる。
【００８６】
（１１）照射エネルギが所定値を越えると、測定光を制御するので、測定光の出力を下げたり止めたりするという煩わしい操作を行わなくとも済む。
【００８７】
（１２）照射エネルギが所定値を越えると、測定光を被検眼に照射しないように制御することにより、オペレータが照射エネルギ値に基づいて測定光の出力を下げたり停止したりするという煩わしい操作を行わなくとも済む。
【００８８】
【発明の効果】
以上説明したように本発明に係る眼科装置では、安全性を確保しながら、ＭＰＥを越えない測定用の照射を行うことができる。
【図面の簡単な説明】
【図１】本実施の形態の構成図である。
【図２】ピント合わせ終了後の観察眼底像の説明図である。
【図３】瞳孔上の光束配置の説明図である。
【図４】第２の表示器の表示例の正面図である。
【図５】動作のフローチャート図である。
【図６】第２の実施の形態の作用説明図である。
【符号の説明】
１  観察用光源
２  対物レンズ
３  透過型液晶板
５  孔あきミラー
６  バンドパスミラー
９  二次元ＣＣＤカメラ
１０  イメージローテータ
１１  ガルバノメトリックミラー
１４  フォーカスユニット
１７、２７  ダイクロイックミラー
１９  凹面鏡
２１、２３  ハーフミラー
２２  測定用光源
２４  トラッキング用光源
２５、２６  フォトセンサ
２９  イメージインテンシファイア
３０  一次元ＣＣＤ
３１、３２  フォトマルチプライヤ
４１  システムコントローラ
４２  第１の表示器
４４  入力デバイス
４５  第２の表示器
４６  検知器
【図１】
0004666821.tif 000003
【図２】
0004666821.tif 000004
【図３】
0004666821.tif 000005
【図４】
0004666821.tif 000006
【図５】
0004666821.tif 000007
【図６】
0004666821.tif 000008